【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】ａ）式Ｉ、
Ｍ2Ｒ3Ｒ4Ｒ5      （Ｉ）
（式中、
Ｒ3、Ｒ4およびＲ5は、同一であっても異なっていてもよく、それぞれ、水素原子、ハロゲン原子、Ｃ1−Ｃ20−アルキル基、Ｃ6−Ｃ40−アリール基、Ｃ7−Ｃ40−アルキルアリール基、またはＣ7−Ｃ40−アリールアルキル基を表し、および／または、Ｒ3、Ｒ4およびＲ5のうちの２個の基または３個の基全部がＣ2−Ｃ20単位を介して互いに結合しており、
Ｍ2は元素周期表の第５主族の元素を表す。）
で表されるルイス塩基と、
式ＩＩ、
Ｍ3Ｒ6Ｒ7Ｒ8      （ＩＩ）
（式中、
Ｍ3は元素周期表の第３主族の元素を表し、
Ｒ6、Ｒ7およびＲ8は同一であっても異なっていてもよく、それぞれ、水素原子、ハロゲン原子またはハロゲンを含むＣ1−Ｃ40基を表し、このときのＲ6、Ｒ7およびＲ8のうちの少なくとも１個の基はハロゲンを含むＣ1−Ｃ40基である。）
で表される有機金属化合物と、
を担体と反応させ、
ｂ）続いて、前記反応の生成物を、式ＩＶ、
【化１】
2001527135.tif 000001
（式中、
Ｍ1は元素周期表の第３、４、５または６族の遷移金属を表し、
Ｒ′は、同一であっても異なっていてもよく、それぞれ、水素原子またはＳｉＲx3（Ｒxは同一であっても異なっていてもよく、それぞれ、水素原子またはＣ1−Ｃ40基を表す。）を表し、または、１個のＲ′はＣ1−Ｃ30基を表し、または、２個以上の基Ｒ′が、基Ｒ′とこれらと結合しているシクロペンタジエニル環内の原子がＣ4−Ｃ24環（この環もまた置換されていてもよい）を形成するように互いに結合していてもよく、
Ｒ″は、同一であっても異なっていてもよく、それぞれ、水素原子またはＳｉＲx3（Ｒxは同一であっても異なっていてもよく、それぞれ、水素原子またはＣ1−Ｃ40基を表す。）を表し、または、１個のＲ″はＣ1−Ｃ30基を表し、または、２個以上の基Ｒ″が、基Ｒ″とこれらと結合しているシクロペンタジエニル環内の原子がＣ4−Ｃ24環（この環もまた置換されていてもよい）を形成するように互いに結合していてもよく、
ｌは、４であり、
ｍは、４であり、
Ｌ1は、同一であっても異なっていてもよく、それぞれ、水素原子、ハロゲン原子、またはＯＲy、ＳＲy、ＯＳｉＲy3、ＳｉＲy3、ＰＲy2、またはＮＲy2（Ｒyはハロゲン原子、Ｃ1−Ｃ10−アルキル基、ハロゲン化Ｃ1−Ｃ10−アルキル基、Ｃ6−Ｃ20−アリール基、またはハロゲン化Ｃ6−Ｃ20−アリール基を表す。）を表し、または、１個のＬ1はトルエンスルホニル基、トリフルオロアセチル基、トリフルオロアセトキシル基、トリフルオロメタンスルホニル基、ノナフルオロブタンスルホニル基または２，２，２−トリフルオロエタンスルホニル基を表し、
ｏは、１〜４の整数であり、
ｚは、２個のシクロペンタジエニル環の間の架橋構造構成部分であり、
ｖは、１である。）
で表されるメタロセン化合物と、
少なくとも1種の、式ＩＩＩ、
【化２】
2001527135.tif 000002
（式中、
Ｍ4は元素周期表の第１、２、または３主族の元素を表し、
基Ｒ9は、同一であっても異なっていてもよく、それぞれ、水素原子、ハロゲン原子、Ｃ1−Ｃ40炭化水素基を表し、
ｊは、１〜３の整数であり、
ｋは、１〜４の整数である。)
で表される有機金属化合物と、
を含む溶液または懸濁液と反応させる（この反応で用いるメタロセン化合物（ＩＶ）は、キラル体の、置換インデニル環を有する架橋モノインデニル化合物またはビスインデニル化合物である。）、
ことにより得られる担持触媒系であって、
前記式ＩＩで表わされる有機金属化合物が、前記担体に共有結合していることを特徴とする担持触媒系。
【請求項２】請求項１に記載の担持触媒系をオレフィンポリマーの製造のために使用する方法。
【請求項３】請求項１に記載の担持触媒系の存在下でオレフィンポリマーを製造する方法。
【手続補正２】
【補正対象書類名】明細書
【補正対象項目名】００３１
【補正方法】変更
【補正の内容】
【００３１】
【化２】
2001527135.tif 000003
式中、Ｍ1は元素周期表の第３、４、５または６族の遷移金属、特にＴｉ、ＺｒまたはＨｆ、を表し、Ｒ′は、同一であっても異なっていてもよく、それぞれ、水素原子またはＳｉＲx3（Ｒxは同一であっても異なっていてもよく、それぞれ、水素原子、または、Ｃ1−Ｃ20−アルキル、Ｃ1−Ｃ10−フルオロアルキル、Ｃ1−Ｃ10−アルコキシ、Ｃ6−Ｃ20−アリール、Ｃ6−Ｃ10−フルオロアリール、Ｃ6−Ｃ10−アリールオキシ、Ｃ2−Ｃ10−アルケニル、Ｃ7−Ｃ40−アリールアルキル、Ｃ7−Ｃ40−アルキルアリールまたはＣ8−Ｃ40−アリールアルケニルのようなＣ1−Ｃ40基を表す。）を表し、または、１個のＲ′は、Ｃ1−Ｃ25−アルキル（例えば、メチル、エチル、ｔ−ブチル、シクロヘキシルまたはオクチル）、Ｃ2−Ｃ25−アルケニル、Ｃ3−Ｃ15−アルキルアルケニル、Ｃ6−Ｃ24−アリール、Ｃ5−Ｃ24−ヘテロアリール（例えばピリジル、フリルまたはキノリル）、Ｃ7−Ｃ30−アリールアルキル、Ｃ7−Ｃ30−アルキルアリール、フッ素化Ｃ1−Ｃ25−アルキル、フッ素化Ｃ6−Ｃ24−アリール、フッ素化Ｃ7−Ｃ30−アリールアルキル、フッ素化Ｃ7−Ｃ30−アルキルアリールまたはＣ1−Ｃ12−アルコキシのようなＣ1−Ｃ30基を表し、または２個以上の基Ｒ′は、基Ｒ′とそれらと結合しているシクロペンタジエニル環の原子がＣ4−Ｃ24環（この環もまた置換されていてもよい）を形成するように互いに結合していてもよい。
【手続補正３】
【補正対象書類名】明細書
【補正対象項目名】００３２
【補正方法】変更
【補正の内容】
【００３２】
Ｒ″は、同一であっても異なっていてもよく、それぞれ、水素原子またはＳｉＲx3（Ｒxは同一であっても異なっていてもよく、それぞれ、水素原子、または、Ｃ1−Ｃ20−アルキル、Ｃ1−Ｃ10−フルオロアルキル、Ｃ1−Ｃ10−アルコキシ、Ｃ6−Ｃ14−アリール、Ｃ6−Ｃ10−フルオロアリール、Ｃ6−Ｃ10−アリールオキシ、Ｃ2−Ｃ10−アルケニル、Ｃ7−Ｃ40−アリールアルキル、Ｃ7−Ｃ40−アルキルアリールまたはＣ8−Ｃ40−アリールアルケニルのようなＣ1−Ｃ40基を表す。）を表し、または、１個のＲ″は、Ｃ1−Ｃ25−アルキル（例えば、メチル、エチル、ｔ−ブチル、シクロヘキシルまたはオクチル）、Ｃ2−Ｃ25−アルケニル、Ｃ3−Ｃ15−アルキルアルケニル、Ｃ6−Ｃ24−アリール、Ｃ5−Ｃ24−ヘテロアリール（例えばピリジル、フリルまたはキノリル）、Ｃ7−Ｃ30−アリールアルキル、Ｃ7−Ｃ30−アルキルアリール、フッ素化Ｃ1−Ｃ25−アルキル、フッ素化Ｃ6−Ｃ24−アリール、フッ素化Ｃ7−Ｃ30−アリールアルキル、フッ素化Ｃ7−Ｃ30−アルキルアリールまたはＣ1−Ｃ12−アルコキシのようなＣ1−Ｃ30基を表し、または２個以上の基Ｒ″は、基Ｒ″とそれらと結合しているシクロペンタジエニル環内の原子がＣ4−Ｃ24環（この環もまた置換されていてもよい）を形成するように互いに結合していてもよい。
【手続補正４】
【補正対象書類名】明細書
【補正対象項目名】００３４
【補正方法】変更
【補正の内容】
【００３４】
Ｌ1は、同一であっても異なっていてもよく、それぞれ、水素原子、ハロゲン原子、またはＯＲy、ＳＲy、ＯＳｉＲy3、ＳｉＲy3、ＰＲy2、またはＮＲy2（Ｒyはハロゲン原子、Ｃ1−Ｃ10−アルキル基、ハロゲン化Ｃ1−Ｃ10−アルキル基、Ｃ6−Ｃ20−アリール基またはハロゲン化Ｃ6−Ｃ20−アリール基を表す。）を表し、または１個のＬ1はトルエンスルホニル基、トリフルオロアセチル基、トリフルオロアセトキシル基、トリフルオロメタンスルホニル基、ノナフルオロブタンスルホニル基または２，２，２−トリフルオロエタンスルホニル基を表す。